(57)【要約】  帽子着用後における、前髪や頭頂部における頭髪等の圧し潰れを容易に抑制し、帽子着用後の髪型の乱れを容易に整えることが可能な帽子着用時の髪型保持具を提供する。本発明の髪型保持具10は、開放した部分環状型の形態を有し、該開放部14の間隔を変更しうる弾性を備える本体部11であって、所定のピッチを有するコイル状の第１の頭髪保持部11aと、該第１の頭髪保持部11aの両端に設けた、前記開放部14を形成する２つの頭部固定部11bとを供える本体部11、所定のピッチを有するコイル状の第２の頭髪保持部(12a、12b)を有する円弧状の頭髪保持可動部12、及び頭髪保持可動部12を、本体部11の各頭部固定部11bの上方に枢動可能に取り付ける本体接続部13を備える。
2009087766.tif 000002
【特許請求の範囲】
【請求項１】
開放した部分環状型の形態を有し、該開放部の間隔を変更しうる弾性を備える本体部であって、所定のピッチを有するコイル状の第１の頭髪保持部と、該第１の頭髪保持部の両端に設けた、前記開放部を形成する２つの頭部固定部とを供える本体部、
所定のピッチを有するコイル状の第２の頭髪保持部を有する円弧状の頭髪保持可動部、及び
頭髪保持可動部を、本体部の各頭部固定部の上方に枢動可能に取り付ける本体接続部、を備え、
本体部の頭部固定部を両側頭部に固定し、頭髪保持可動部を所望範囲で枢動させ、第１の頭髪保持部及び第２の頭髪保持部により、少なくとも前髪及び頭頂部付近における頭髪の帽子による圧し潰れを抑制するように、帽子着用前に装着して使用する帽子着用時の髪型保持具。
【請求項２】
頭髪保持可動部を複数備える請求項１記載の髪型保持具。
【請求項３】
本体接続部に着脱自在に頭髪保持可動部を接続するための機構を本体接続部及び頭髪保持可動部に備える請求項１又は２記載の髪型保持具。
【請求項４】
本体部及び頭髪保持可動部の所定箇所に、不使用時に折り畳むことを可能にする、折り畳み部を備えた請求項１〜３のいずれかに記載の髪型保持具。
【請求項５】
第１の頭髪保持部及び第２の頭髪保持部の長さ調整をするための延長頭髪保持部材を備え、第１の頭髪保持部及び第２の頭髪保持部に、前記延長頭髪保持部材を着脱自在に接続しうる接続機構を備えた請求項１〜４のいずれかに記載の髪型保持部。
【請求項６】
第１の頭髪保持部及び第２の頭髪保持部におけるピッチ間隔が、５〜３０ｍｍであり、且つコイルの高さが３〜３０ｍｍである請求項１〜５のいずれかに記載の髪型保持部。
【請求項７】
第１の頭髪保持部及び第２の頭髪保持部において、中央部におけるピッチ間隔よりも両端部側のピッチ間隔を狭くした請求項１〜６のいずれかに記載の髪型保持具。
【請求項８】
第１の頭髪保持部及び第２の頭髪保持部において、中央部におけるピッチ高さよりも両端部側のピッチ高さを低くした請求項１〜７のいずれかに記載の髪型保持具。
【発明の詳細な説明】
【技術分野】
【０００１】
本発明は、帽子着用後における頭髪の圧し潰れを容易に抑制し、帽子着用後の髪型の乱れを容易に整えることが可能な帽子着用時の髪型保持具に関する。
【背景技術】
【０００２】
一般に、帽子着用により頭髪が圧し潰れ、髪型が乱される。この髪型の乱れは、長時間帽子を着用した際や、頭皮に汗をかいた際には容易に整えることができず、洗髪やドライヤーによる整髪等を余儀なくされる。このため、紫外線や日光による熱を予防する必要がある場合や、スタイル的に帽子を着用したい場合であっても、髪型の乱れを気にして帽子の着用を避ける人が多い。
ところで、頭髪は、ケラチンという蛋白質により主に構成され、該蛋白質の水素結合等によって頭髪のくせや流れが維持される。例えば、洗髪等により頭髪を水に濡らすと、頭髪の蛋白質における水素結合等が切れ、頭髪のくせがなくなり易くなる。その後、ドライヤー等で乾燥させながら整髪すると、該乾燥により、所望の髪型が維持されるように再び頭髪の蛋白質が水素結合等により結合し、頭髪に所望のくせや流れを与え、それが維持される。
帽子を着用した際には、頭髪が帽子により押圧され、その状態で頭皮等に汗をかくと、該汗により、頭髪の根元における蛋白質の水素結合等が切れ、帽子着用前の髪型が維持できなくなる。そして、汗が乾くことによって、帽子により押圧された状態で、頭髪の根元における蛋白質が再び水素結合等により結合し、頭髪が圧し潰された状態で髪型が保持される。一般に、髪型は、頭髪の根元のスタイルにより大きく変化し、特に、前髪や頭頂部における頭髪の根元のスタイルの変化は、洗髪等をしないで容易に修正することができない。
そこで、帽子を着用した場合に、着用前の上記頭髪の根元におけるスタイルを容易に維持することができ、髪型の大きな乱れを抑制し、脱帽後に容易に髪型を整えることが可能な帽子着用時の髪型保持具の開発が望まれている。【０００３】
特許文献１〜３等において、帽子着用時における髪型の乱れを抑制する髪型保持具が提案されている。しかし、これらは、特に、上記前髪や頭頂部における頭髪の根元のスタイルを有効に保持できるものではない。
また、特許文献４において、コイル状に形成したヘアバンドが提案されている。このヘアバンドは、装着時にコイルの輪間に頭髪を入れ込ませ、安定した状態で頭髪を保持できる。しかし、このヘアバンドは、帽子着用時における髪型の乱れの抑制については何等意図されていない。しかも、帽子着用時において、上記前髪や頭頂部における頭髪の根元のスタイルを有効に保持できる構成を備えていない。
【特許文献１】実開昭６３−３４１２５号公報
【特許文献２】実用新案登録第３１２５３４３号公報
【特許文献３】実用新案登録第３０８１７２２号公報
【特許文献４】実開平７−３６９０６号公報
【発明の開示】
【発明が解決しようとする課題】
【０００４】
本発明の課題は、帽子着用後における、前髪や頭頂部における頭髪等の圧し潰れを容易に抑制し、帽子着用後の髪型の乱れを容易に整えることが可能な帽子着用時の髪型保持具を提供することにある。
本発明の別の課題は、帽子着用後における、前髪や頭頂部における頭髪等の圧し潰れを容易に抑制し、帽子着用後の髪型の乱れを容易に整えることが可能であり、かつ携帯性に優れた帽子着用時の髪型保持具を提供することにある。
本発明の他の課題は、帽子着用後における、前髪や頭頂部における頭髪等の圧し潰れを容易に抑制し、帽子着用後の髪型の乱れを容易に整えることが可能であり、かつ様々な髪型や頭の大きさに合わせて容易に装着位置の変更等が容易な帽子着用時の髪型保持具を提供することにある。
【課題を解決するための手段】
【０００５】
本発明によれば、開放した部分環状型の形態を有し、該開放部14の間隔を変更しうる弾性を備える本体部11であって、所定のピッチを有するコイル状の第１の頭髪保持部11aと、該第１の頭髪保持部11aの両端に設けた、前記開放部14を形成する２つの頭部固定部11bとを供える本体部11、所定のピッチを有するコイル状の第２の頭髪保持部(12a、12b)を有する円弧状の頭髪保持可動部12、及び頭髪保持可動部12を、本体部11の各頭部固定部11bの上方に枢動可能に取り付ける本体接続部13、を備え、本体部11の頭部固定部11bを両側頭部に固定し、頭髪保持可動部12を所望範囲で枢動させ、第１の頭髪保持部11a及び第２の頭髪保持部(12a、12b)により、少なくとも前髪及び頭頂部付近における頭髪の帽子による圧し潰れを抑制するように、帽子着用前に装着して使用する帽子着用時の髪型保持具10が提供される。【０００６】
本体部は、環状の一部を開放した部分環状型の形態であって、環状をなす円弧が、頭部に密着しうるように、前記開放部の間隔を変更して円弧の大きさを調整できるようになっている。このような開放部の間隔を変更しうるように、本体部の第１の頭髪保持部は、ある程度の太さを有する針金状の金属を所定のピッチを有するコイル状に形成し、弾性を付与している。該金属は、頭皮や頭髪を傷めないように、表面が樹脂やゴム等で被覆されていることが好ましい。
本体部における２つの頭部固定部は、両側頭部、通常は耳の上辺りに、開放部の弾性による内側への応力を利用して両側頭部を挟持し、本体部を頭部に密着固定する。該頭部固定部は、本体部を頭部に密着でき、側頭部を傷つけないような形態及び材質であれば特に限定されず、例えば、ピッチ間隔がないコイル状、円柱状、側頭部に接する部分が平面処理された形状であって、少なくとも表面が、樹脂、ゴム等の側頭部や頭髪を傷つけない材質により形成することができる。【０００７】
頭髪保持可動部は、所定のピッチを有するコイル状の第２の頭髪保持部を有する円弧状のものであり、該円弧は、頭部に密着しうる大きさを有している。第２の頭髪保持部は、本体部の第１の頭髪保持部と同様に、ある程度の太さを有する針金状の金属を所定のピッチを有するコイル状に形成し、弾性を付与することで、上記円弧の大きさをある程度調整しうるようにしている。該金属は、頭皮や頭髪を傷めないように、表面が樹脂やゴム等で被覆されていることが好ましい。【０００８】
第１及び第２の頭髪保持部は、所定のピッチを有するコイル形状であるので、該コイルの一部を頭皮に接するように装着することにより、頭髪の少なくとも根元部分がコイル内に入り込み、帽子を装着した際に、第１及び第２の頭髪保持部を装着した箇所の頭髪の少なくとも根元部分のスタイルを維持するように作用する。
前記コイルの形状は、通常、円状であるが、上記作用を維持しうるのであれば、楕円状、四角状、三角状等の様々な形状にすることもできる。【０００９】
上記作用をより確実にするために、上記コイルのピッチ間隔は、通常５〜３０ｍｍ、好ましくは５〜２０ｍｍの範囲で調整でき、コイルの高さは、通常３〜３０ｍｍ、好ましくは５〜３０ｍｍの範囲で調整できる。このようなピッチ間隔や高さの調整は、髪型、頭髪の量等に応じて適宜決定できる。
ピッチの間隔が５ｍｍ未満であると、頭髪がコイル内に容易に入り込まない恐れがあり、逆に入り込んだ場合、髪型保持具を頭部から外す際に、頭髪がコイルに絡まる恐れがある。一方、ピッチ間隔が３０ｍｍを超える場合には、コイル内に入り込んだ頭髪が固定されず、所望の効果が得られない恐れがある。
ピッチの高さが３ｍｍ未満の場合には、コイル内に保持される頭髪の根元部分の長さが短く、所望の効果が得られない恐れがある。一方、ピッチの高さが３０ｍｍを超える場合には、帽子を装着した際に帽子が浮きすぎて違和感を生じる恐れがある。
コイルのピッチ間隔やピッチ高さは、第１及び第２の頭髪保持部内で変更することができる。例えば、髪型保持具の装着を容易にするために、第１及び第２の頭髪保持部の中央部におけるピッチ間隔よりも両端部側のピッチ間隔を狭くしたり、該中央部におけるピッチ高さよりも両端部側のピッチ高さを低くすることができる。これらピッチ間隔及び高さの調整は、段階的に行うことも可能である。【００１０】
本体接続部は、頭髪保持可動部が、本体部の各頭部固定部の上方において枢動可能に取り付けることができる構造のものであれば特に限定されず、後述する実施例の例が挙げられる。該枢動は、例えば、本体部の第１の頭髪保持部を、前髪側の根元を含むある範囲の頭髪をコイル内に入り込ませるように装着した際に、第２の頭髪保持部を、頭頂部付近の根元を含むある範囲の頭髪をコイル内に入り込ませるように装着できるように、頭髪保持可動部を本体接続部において枢動できるものであれば良い。
後述するように、本発明の髪型保持具が、頭髪保持可動部を複数有する場合には、所望の頭髪の部分に他の頭髪保持可動部が枢動できるように本体接続部に複数の頭髪保持可動部を接続することができる。
ここで、必ずしも本体部の第１の頭髪保持部は、前髪付近に装着される必要はなく、頭髪保持可動部の数や髪型に応じて頭髪のどの箇所に装着するかを適宜決定することができる。また、第１及び第２の頭髪保持部における円弧の高さは、頭頂部付近に装着するものを低く、前髪付近に装着するものを高くして、本体部や頭髪保持可動部が頭部の所望箇所に密着して装着し得るように調整することも可能である。【００１１】
前記頭髪保持可動部は、複数設けることができる。複数設けることにより、前髪や頭頂部付近の頭髪以外の箇所にも頭髪保持可動部を装着でき、該装着した箇所の頭髪の潰れも抑制することができる。また、頭髪保持可動部を、頭頂部付近に２箇所以上装着することにより、頭頂部付近の広い範囲における頭髪の潰れを抑制することができる。
頭髪保持可動部の数は、装着のし易さ、枢動範囲、携帯性等を考慮すると、通常１〜４、好ましくは１〜３、特に好ましくは１〜２である。
頭髪保持可動部は、本体接続部に着脱自在に接続することも可能である。この場合、着脱自在に接続するための機構、例えば、後述する実施例の例に示す機構を本体接続部及び頭髪保持可動部に設けることができる。このように頭髪保持可動部を着脱自在にすることにより、髪型に合わせて頭髪保持可動部の数を変更することができる。【００１２】
本発明の髪型保持具は、頭髪保持可動部が枢動するので、不使用時に該頭髪保持可動部を本体部に接するように収容することで容易に携帯することができる。また、本体部及び頭髪保持可動部が円弧形状を有するので、該円弧形状をよりコンパクトにして携帯性を向上させるために、本体部及び頭髪保持可動部の所定箇所に、不使用時に折り畳むことを可能とする、折り畳み部を設けることができる。該折り畳み部は、複数箇所に設けることもでき、その箇所は、携帯性を考慮して円弧形状がほぼ直性形状に近くなるように適宜決定することができる。【００１３】
本発明の髪型保持具においては、頭部の大きさや髪型に合わせて、第１の頭髪保持部及び第２の頭髪保持部の長さ調整をするための延長頭髪保持部材を備えることもできる。該延長頭髪保持部材は、第１の頭髪保持部及び第２の頭髪保持部に、その接続機構を設けることにより、延長頭髪保持部材を着脱自在に接続することができる。
【発明の効果】
【００１４】
本発明の帽子着用時の髪型保持具は、本体部の頭部固定部を両側頭部に固定し、頭髪保持可動部を所望範囲で枢動させて、第１の頭髪保持部及び第２の頭髪保持部を、別の所定の頭髪箇所に装着することで、少なくとも２箇所において帽子による頭髪への押圧を抑制することができる。そして、第１及び第２の頭髪保持部は、所定のピッチを有するコイル状をなすので、装着した箇所の頭髪の根元を含む髪がコイルに入り込み、その部分の頭髪が帽子の押圧により潰されることが抑制される。これにより、少なくとも前髪及び頭頂部における頭髪の根元付近の潰れが抑制され、帽子装着による髪形の目立った乱れを防止することができる。
従って、本発明の髪型保持具は、帽子着用後における、前髪や頭頂部における頭髪等の圧し潰れを容易に抑制し、帽子着用後の髪型の乱れを容易に整えることが可能である。更に本発明の髪型保持具は、携帯性に優れ、様々な髪型や頭の大きさに合わせて容易に装着位置の変更等を可能にすることもできる。
【図面の簡単な説明】
【００１５】
【図１】本発明の一実施形態に係る髪型保持具を示す概略全体斜視図である。
【図２】図１における第１の頭髪保持具の一部拡大概略図である。
【図３】図１における本体接続部の一例を示す拡大説明図である。
【図４】図１における本体接続部の他の一例を示す拡大説明図である。
【図５】図１における本体接続部の更に他の一例を示す拡大説明図である。
【図６】図１における本体接続部の更に他の一例を示す拡大説明図である。
【図７】図１における本体接続部の更に他の一例を示す拡大説明図である。
【図８】延長頭髪保持部材の使用方法を説明する場合の概略説明図である。
【符号の説明】
【００１６】
10：髪型保持具
11：本体部
11a：第１の髪型保持部
11b：頭部固定部
12：頭髪保持可動部
12a、12b：第２の髪型保持部
13：本体接続部
14：開放部
【発明を実施するための最良の形態】
【００１７】
以下、本発明の好ましい実施形態を、図面を参照して詳細に説明するが、本発明はこれらに限定されず、種々の変更、改良を加えることができる。
図１において10は、帽子着用時の髪型の圧し潰れを抑制する髪型保持具であり、該髪型保持具10は、本体部11と、髪型保持可動部12と、該髪型保持可動部12を本体部10に枢動可能に接続する本体接続部から構成されている。
本体部10は、開放部14において開放された部分環状型の形態を有している。本体部10の円弧部分は、所定のピッチ及び高さを有するコイル状の第１の頭髪保持部11aを備える。該第１の頭髪保持部11aの一部を拡大した図を図２に示す。図２において、Ｘがコイルのピッチであり、Ｙがコイルの高さである。このコイルの形状は、図示するような円に限定されず、三角、四角等であっても良い。また、第１の頭髪保持部11aのコイルのピッチ間隔及び高さは、円弧中央部から両端側へ向かって徐々に若干狭く、また低く形成されている。【００１８】
第１の頭髪保持部11aの両端には、髪型保持具10を頭部に固定するための２つの頭部固定部11bが設けられている。頭部固定部11bは、側頭部に装着する際に、該側頭部に接する部分が平面処理された半円柱状の樹脂カバーで覆われている。
２つの頭部固定部11bの間には、開放部14があり、頭部固定部11bを矢印方向に広げることにより、開放部14の間隔を広げて、本体部11の頭部への装着を容易にすることができる。本体部11はこのような弾性を有するような金属等の材質で形成されているが、第1の頭髪保持部11aの表面は、樹脂又はゴムにより被覆されている。【００１９】
本体部11の第１の頭髪保持部11aを挟むように、２つの頭髪保持可動部12が、頭部固定部11bの上方における後述する接続部本体13に接続されている。該頭部保持可動部12は、第１の頭髪保持部11a側及びその逆側に枢動可能に接続されている。
頭髪保持可動部12は、所定のピッチ及び高さを有するコイル状の第２の頭髪保持部(12a、12b)を備える。該第２の頭髪保持部(12a、12b)は、上記第１の頭髪保持部11aと同様な構成を備えている。ここで、第１の頭髪保持部11aの円弧の高さｈは、第２の頭髪保持部12aの円弧の高さよりも若干低くしている。後述するように、髪型保持具10を頭部に装着する際に、第１の頭髪保持部11aが、頭頂部に密着しうるようにするためである。【００２０】
本体接続部13は、頭髪保持可動部12が枢動可能となるように第１の頭髪保持部に固定又は着脱自在に取り付けることができる構造のものであれば、その構造は特に限定されない。例えば、図３に示す支点13aに、第２の頭髪保持部12aを枢動可能に取り付ける構造のもの、図４に示す支点13を２つ備え、該支点13に第２の頭髪保持部(12a、12b)(図示せず)を枢動可能に取り付ける構造のもの、図５及び図６に示すように、第２の頭髪保持部(12a、12b又は12a)の両端にフック構造12cを設け、該構造12cを着脱自在に、且つ枢動可能に取り付けることを可能にした、第１の頭髪保持部11aに設けたリング状の本体接続部13、図７に示すように、第２の頭髪保持部(12a、12b)を有する頭髪保持可動部12の両端が、２つの回転軸13aに、該回転軸13aが回転することにより頭髪保持可動部12が枢動するように固定され、枢動後に回転軸13aを固定することが可能な２つのナット13bを備える本体接続部13が挙げられる。【００２１】
図１に示す本体部11における本体接続部13の下方には、収納時にコンパクト化を可能にする折り畳み機構15が設けられている。該折り畳み機構15は、頭部固定部11bを内側に折り畳むことができ、且つ外側に折り畳むことができない機構を有している。
このような折り畳み機構15は、第１及び第２の頭髪保持部の所望箇所にそれぞれ１箇所以上設けることにより、不使用時の収容を更に容易にすることができる。【００２２】
第１の頭髪保持部11a及び第２の頭髪保持部(12a、12b)には、頭部の大きさや髪型に合わせて、長さ調整をするための延長頭髪保持部材16を設けることができる。この際、第１の頭髪保持部11a及び第２の頭髪保持部(12a、12b)には、前記延長頭髪保持部材16を着脱自在に接続しうる接続機構(17a、17b)を設けることができ、第１の頭髪保持部11aを用いた場合の例を、図8に示す。【００２３】
延長頭髪保持部材16は、第１の頭髪保持部11aと同様なコイル状を有し、該第１の頭髪保持部11aと接続することが可能な凹部を有する接続部16aと凸部を有する接続部16bを備える。一方、第１の頭髪保持部11aには、凸部を有する接続部17a及び凹部を有する接続部17bを備える。通常は、接続部17aと接続部17bが接続され使用される。該接続を外し、延長頭髪保持部材16の接続部16aに接続部17aを、接続部16bに接続部17bを接続することにより、頭髪保持部を延長することができる。【００２４】
図１に示す髪型保持具10は、本体部11の頭部固定部11bを、耳の上方辺りの両側頭部に固定し、第１の頭髪保持部11aのコイル内に、頭頂部付近の頭髪を入れ込んで頭皮に密着固定し、第２の頭髪保持部12aを枢動させ、第２の頭髪保持部12aのコイル内に前髪周辺の頭髪を入れ込んで頭皮に密着固定し、更に、第２の頭髪保持部12bを枢動させ、第２の頭髪保持部12bのコイル内に第１の頭髪保持部11aより後ろ側の頭頂部における頭髪を入れ込んで頭皮に密着固定することにより、装着した箇所の頭髪の根元を含む髪がコイルに保護され、その部分の頭髪が帽子の押圧により潰されることが抑制される。
この実施形態においては、２つの頭髪保持可動部12を用いたが、これを１つに減ずることも、また３以上に増やすことも可能である。例えば、第２の頭髪保持部12aを有する頭髪保持可動部12を減じた場合には、本体部11の第１の頭髪保持部11aを前髪付近に設置し、第２の頭髪保持部12bを有する頭髪保持可動部12を枢動させ、頭頂部に設置することができる。
【図１】
2009087766.tif 000003
【図２】
2009087766.tif 000004
【図３】
2009087766.tif 000005
【図４】
2009087766.tif 000006
【図５】
2009087766.tif 000007
【図６】
2009087766.tif 000008
【図７】
2009087766.tif 000009
【図８】
2009087766.tif 000010
【手続補正書】
【提出日】平成22年4月27日(2010.4.27)
【手続補正１】
【補正対象書類名】明細書
【補正対象項目名】０００５
【補正方法】変更
【補正の内容】
【０００５】
本発明によれば、開放した部分環状型の形態を有し、該開放部14の間隔を変更しうる弾性を備える本体部11であって、所定のピッチを有するコイル状の第１の頭髪保持部11aと、該第１の頭髪保持部11aの両端に設けた、前記開放部14を形成する２つの頭部固定部11bとを供える本体部11、所定のピッチを有するコイル状の第２の頭髪保持部(12a、12b)を有する円弧状の頭髪保持可動部12、及び頭髪保持可動部12を、本体部11の各頭部固定部11bの上方に枢動可能に取り付ける本体接続部13、を備え、本体部11の頭部固定部11bを両側頭部に固定し、頭髪保持可動部12を所望範囲で枢動させ、第１の頭髪保持部11aのコイル内に頭頂部付近の頭髪を入れ込んでコイルの一部を頭皮に密着固定するように、及び第２の頭髪保持部(12a、12b)のコイル内に前髪周辺の頭髪を入れ込んでコイルの一部を頭皮に密着固定するように、第１の頭髪保持部11a及び第２の頭髪保持部(12a、12b)を装着し、少なくとも前髪及び頭頂部付近における頭髪の帽子による圧し潰れを抑制する、帽子着用前に装着して使用する帽子着用時の髪型保持具10が提供される。
【手続補正２】
【補正対象書類名】特許請求の範囲
【補正対象項目名】請求項１
【補正方法】変更
【補正の内容】
【請求項１】
開放した部分環状型の形態を有し、該開放部の間隔を変更しうる弾性を備える本体部であって、所定のピッチを有するコイル状の第１の頭髪保持部と、該第１の頭髪保持部の両端に設けた、前記開放部を形成する２つの頭部固定部とを供える本体部、
所定のピッチを有するコイル状の第２の頭髪保持部を有する円弧状の頭髪保持可動部、及び
頭髪保持可動部を、本体部の各頭部固定部の上方に枢動可能に取り付ける本体接続部、を備え、
本体部の頭部固定部を両側頭部に固定し、頭髪保持可動部を所望範囲で枢動させ、第１の頭髪保持部のコイル内に頭頂部付近の頭髪を入れ込んでコイルの一部を頭皮に密着固定するように、及び第２の頭髪保持部のコイル内に前髪周辺の頭髪を入れ込んでコイルの一部を頭皮に密着固定するように、第１の頭髪保持部及び第２の頭髪保持部を装着し、少なくとも前髪及び頭頂部付近における頭髪の帽子による圧し潰れを抑制する、帽子着用前に装着して使用する帽子着用時の髪型保持具。
【国際調査報告】
2009087766.tif 000011
2009087766.tif 000012
2009087766.tif 000013
2009087766.tif 000014